(57)【要約】【課題】  カード固定部材を板金製とした場合に生ずる静電気放電やノイズ等の弊害を安価な構成で防止する。【解決手段】  電気絶縁性材料からなるベース部材１０と、ベース部材１０上に設けられた板金製のカード固定部材２０と、カード固定部材２０によりベース部材１０上に保持されたカード７０の端子７２と接触する信号用コンタクト３０と、カード７０がベース部材１０上に保持された状態でカード固定部材２０を基板６０の接地端子６２に電気的に接続する接地用コンタクト４０とを備える。カード固定部材２０はカード７０を解放状態にするカード解放位置とベース部材１０上にカードを固定保持するカード固定位置との間で移動自在であり、接地用コンタクト４０は、ベース部材１０に固定された固定部４１から延びた可撓部４２が、カード固定位置に位置したカード固定部材２０により弾性的に変形させられた状態でカード固定部材２０と接触する。【選択図】        図１
2005197116.tif 000002
【特許請求の範囲】
【請求項１】
基板に取り付けられた電気絶縁性材料からなるベース部材と、
前記ベース部材上に設けられ、カードを前記ベース部材上に固定保持する板金製のカード固定部材と、
前記ベース部材に保持されて前記基板上の信号端子と繋がり、前記カード固定部材により前記ベース部材上に固定保持された前記カードの端子と接触する信号用コンタクトと、
前記カードを前記ベース部材上に固定保持した状態の前記カード固定部材を前記基板の接地端子に電気的に接続する接地用コンタクトとを備えたことを特徴とするカードコネクタ。
【請求項２】
前記カード固定部材は、前記ベース部材上に固定保持した前記カードを解放状態にするカード解放位置と前記ベース部材上に前記カードを固定保持するカード固定位置との間で移動自在であり、前記接地用コンタクトは前記ベース部材に固定された固定部から延びた可撓部が前記カード固定位置に位置した前記カード固定部材により弾性的に変形させられた状態で前記カード固定部材と接触するようになっていることを特徴とする請求項１記載のカードコネクタ。
【請求項３】
前記カード固定部材は、前記ベース部材上に固定保持した前記カードを解放状態にするカード解放位置と前記ベース部材上に前記カードを固定保持するカード固定位置との間で移動自在であり、前記接地用コンタクトは前記ベース部材に固定された固定部から延びた延出部が前記カード固定部材に設けられた溝部内に位置して前記溝部の内表面と常時接触するようになっていることを特徴とする請求項１記載のカードコネクタ。
【発明の詳細な説明】
【技術分野】
【０００１】
本発明は、情報が記録されたカードを受容保持してこれを電子機器等に接続させるカードコネクタに関する。
【背景技術】
【０００２】
情報が記録されたメモリーカード（以下、単に「カード」と称する）を電子機器等に接続させるカードコネクタは、カードの大きさ等に応じて種々の形態のものが用いられている。最近では携帯電話やディジタルカメラなどの電子機器の小型化が進んでおり、これに伴ってカードコネクタも小型軽量化が図られている。カードコネクタが小型化すると電子機器側の基板への実装面積が小さくなり、電子機器本体の更なる小型化を促進することが可能となる。
【０００３】
このようなカードコネクタの多くは、基板上に取り付けられた電気絶縁性材料からなるベース部材と、このベース部材上に設けられてカードをベース部材上に固定保持するカード固定部材と、ベース上に固定保持されたカードの端子と接触してこれを基板上の信号端子に接続する信号用コンタクトとを有して構成されるが、このうちカード固定部材は金属製の薄板部材（板金）から構成されることが多い。これは、カード固定部材の強度を同等とした場合には、カード固定部材を樹脂製とするよりも（例えば下の特許文献２参照）金属製とした方が（例えば下の特許文献１参照）肉厚を薄くできるからであり、近年要求されているカードコネクタの小型化に適したものとすることができる。
【特許文献１】特開２００３−１４２２０４号公報
【特許文献２】特開２００２−２８０１１４号公報
【特許文献３】特開２００２−２５２０４７号公報
【発明の開示】
【発明が解決しようとする課題】
【０００４】
しかしながら、上記のようにカード固定部材を板金製とした場合には、カード装着時の摩擦等により発生した静電気がカード固定部材に帯電し、使用者が触れた時に静電気放電が発生することがあった。また、金属製のカード固定部材がアンテナとして働いてノイズ等の電気的傷害が生じる場合もあった。
【０００５】
本発明はこのような問題に鑑みてなされたものであり、カード固定部材を板金製とした場合に生ずる静電気放電やノイズ等の弊害を安価な構成で防止し得る構成のカードコネクタを提供することを目的としている。
【課題を解決するための手段】
【０００６】
本発明に係るカードコネクタは、基板に取り付けられた電気絶縁性材料からなるベース部材と、このベース部材上に設けられ、カード（例えば、実施形態におけるメモリーカード７０）をベース部材上に固定保持する板金製のカード固定部材と、ベース部材に保持されて基板上の信号端子と繋がり、カード固定部材によりベース部材上に固定保持されたカードの端子と接触する信号用コンタクトと、カードをベース部材上に固定保持した状態のカード固定部材を基板の接地端子に電気的に接続する接地用コンタクトとを備える。
【０００７】
ここでカード固定部材が、ベース部材上に固定保持したカードを解放状態にするカード解放位置とベース部材上にカードを固定保持するカード固定位置との間で移動自在である場合には、接地用コンタクトはベース部材に固定された固定部から延びた可撓部がカード固定位置に位置したカード固定部材により弾性的に変形させられた状態でカード固定部材と接触するようになっていることが好ましい。或いは、ベース部材に固定された固定部から延びた延出部がカード固定部材に設けられた溝部内に位置してこの溝部の内表面と常時接触するようになっていることが好ましい。
【発明の効果】
【０００８】
本発明に係るカードコネクタでは、カードがベース部材上に固定保持された状態において、板金製（金属製）のカード固定部材が接地用コンタクト及び基板の接地端子を介してグランドされるようになっているので、カードが装着された状態においてカード固定部材に帯電することがなく、カードコネクタを電気的に安定な状態にすることができる。このため、カードの装着時の摩擦等により生じた静電気がカード固定部材に帯電して静電気放電が発生したり、カード固定部材がアンテナとして働いてノイズ等の電気的障害が生じたりする弊害を防止することができる。また、このような帯電防止は非常に簡単な構成で実現することができ、コストも安価に抑えることができる。
【発明を実施するための最良の形態】
【０００９】
以下、図面を参照して本発明の好ましい実施形態について説明する。図１〜図７は本発明の第１実施形態に係るカードコネクタ１を示している。このカードコネクタ１は図示しない電子機器等の基板６０上に固定されたベース部材１０と、このベース部材１０上を移動（スライド及び揺動移動）自在に設けられたカード固定部材２０と、ベース部材１０に取り付けられた複数の信号用コンタクト３０，３０，・・・とを有して構成されている。
【００１０】
ベース部材１０は電気絶縁性材料から構成されて矩形平板状を有しており、前方の左右両端部には左右の壁部１１，１１が設けられている。これら左右の壁部１１，１１それぞれの後方位置には左右のスライドガイド１２，１２が上方に突出した状態で後方に延びて設けられており、ベース部材１０の中央部には複数の（ここでは信号用コンタクト３０の数に対応して８つの）信号用コンタクト取り付け溝１３，１３，・・・が前後方向に延びて設けられている。
【００１１】
カード固定部材２０は金属製の薄板部材（板金）からなってベース部材１０の左右方向に延びており、その左右両端部は下方に折り曲げられて左右の側壁２１，２１を形成している。これら左右の側壁２１，２１各々には前後方向に延びて形成された長穴状のカム溝２２が設けられており、このカム溝２２内にはベース部材１０の左右の壁部１１，１１それぞれから左右外方に突出して延びて設けられたカム用突起１４が嵌め込まれている。このためカード固定部材２０はベース部材１０の左右のスライドガイド１２，１２にガイドされて後方の「カード解放位置」と前方の「カード固定位置」との間でスライド移動自在であるとともに、このスライド移動時にはカム溝２２の形状に従って上下方向への移動も行うようになっている（詳細は後述）。ここで「カード解放位置」とは、ベース部材１０上に固定保持したメモリーカード（以下、単に「カード」と称する）７０（図５参照）を解放状態にし得るカード固定部材２０の位置のことであり、「カード固定位置」とは、ベース部材１０上にカード７０を固定保持し得るカード固定部材２０の位置のことである。また、図２及び図３に示すように、カム溝２２よりも前方部の下縁からは、ベース部材１０に形成された上記壁部１１の下方に位置するように切片部２５が延びて設けられており、ベース部材１０下面側の左右端部それぞれには、カード固定部材２０がベース部材１０に対してスライド移動するとき、上記切片部２５の前後方向移動を許容するための矩形状の切り欠き１５が設けられている、
【００１２】
各信号用コンタクト３０は図２に示すように、ベース部材１０に固定された固定部３１と、この固定部３１からベース部材１０の内方に向かって延びた弾性部３２と、固定部３１からベース部材１０の外方に向かって延びたリード部３４とを有している。弾性部３２は中間部において折り返す形状を有しており、その折り返して延びた部分は更に上方に凸形状となるように屈曲して延びて接触部３３を形成している（図４参照）。この接触部３３は、カードコネクタ１にカード７０が装着されていない状態では、図４に示すようにベース部材１０の上面１０ａよりも上方に突出して位置しており、カードコネクタ１にカード７０が装着されたときには、このカード７０により押圧されて下方に弾性的に撓んだ状態で、カード７０の下面に設けられた端子７２（図５参照）と接触するようになっている。また、このようにカード７０がカードコネクタ１に装着された状態では各信号用コンタクト３０の弾性部３２は下方に撓むが、このとき弾性部３２の先端部がベース部材１０と干渉しないようにするための逃げ穴１６が、ベース部材１０を上下方向に貫通して設けられている（図３参照）。リード部３４は固定部３１からベース部材１０の前縁若しくは後縁からベース部材１０の外方に延びた後、更にベース部材１０の下面側に屈曲して延びており、基板６０上に形成された配線パターンの信号端子６１に半田付け等により取り付けられている（図１参照）。
【００１３】
また、本カードコネクタ１のベース部材１０には、装着されたカード７０がベース部材１０とカード固定部材２０との間に固定保持された（カード７０がカードコネクタ１に装着された）状態でカード固定部材２０を基板６０の接地端子６２に接続するための接地用コンタクト４０が設けられている。この接地用コンタクト４０は図６に示すように、ベース部材１０に固定される固定部４１と、この固定部４１から後方水平に片持ち状態で延び、端部に下方に突出するように屈曲形成された接触部４３を有した可撓部４２と、固定部４１からベース部材１０の内下方に延びて形成されたリード部４４とを有している。可撓部４２は固定部４１を支点として上下方向に弾性変形自在であり、後述するように、カード固定部材２０のベース部材１０に対するスライド移動に応じて移動するカード固定部材２０の切片部２５と接触していない状態では弾性変形しておらず、切片部２５と接触した状態ではこの切片部２５により上方に押圧されて弾性変形した状態になる（図７参照）。リード部４４は固定部４１からベース部材１０の内方に延びた後、更にベース部材１０の下面側に屈曲して延びており、基板６０上に形成された配線パターンの接地端子６２に半田付け等により取り付けられている（図１参照）。
【００１４】
次に、カード固定部材２０がカード固定位置に位置した状態のカードコネクタ１（図５（Ａ）参照）にカード７０を装着し、その後カード７０を取り外す手順を示す。カード７０は樹脂等の絶縁性材料からなる長方形平板状の平板部７１の下面に平板状の複数の（ここでは信号用コンタクト３０の数に対応して８つの）端子７２，７２，・・・を有しており、平板部７１の内部には各端子７２と図示しない配線を介して繋がったＩＣチップ（図示せず）が設けられている。このようなカード７０をカードコネクタ１に装着するには、先ずカード固定位置に位置したカード固定部材２０を後方に押圧する。これによりカード固定部材２０は後方にスライド移動するが（図５（Ｂ）参照）、このときベース部材１０に形成されたカム用突起１４はカード固定部材２０の左右の側壁２１に形成されたカム溝２２内を相対移動するので、カード固定部材２０はカム溝２２の形状に従って上方に移動する。そして、側壁２１の後部から後方に延びて設けられた延出部２４の後端がベース部材１０の壁部１１に設けられたカード固定部材押し下げ部１７の斜面１７ａに当接すると、この斜面１７ａにより押し下げられてカード固定部材２０全体が上下方向に揺動し、前方を上方に向けた斜めの姿勢となる。このような状態においては、カード７０をカードコネクタ１の前方斜め上方からベース部材１０とカード固定部材２０との間に挿入することが可能となる（図５（Ｃ），（Ｄ）参照）。
【００１５】
カード７０をベース部材１０とカード固定部材２０との間に挿入したら、カード固定部材２０の前端部を下方に押圧して揺動させる（図５（Ｄ）中の矢印Ａ参照）。これによりカード７０はベース部材１０の上面１０ａに上から押し付けられた状態となり（図５（Ｅ）参照）、カード７０の下面に設けられた各端子７２は対応する信号用コンタクト３０の弾性部３２を下方に押圧して弾性変形させる。これによりカード７０の各端子７２とカードコネクタ１の信号用コンタクト３０の接触部３３とは接触した状態となる。ここで、このまま手を放すとカード７０は信号用コンタクト３０の弾性部３２の弾性力により上方に押し返されてしまうが、カード固定部材２０を下方に押圧した状態のままカード固定部材２０を前方にスライド移動させると、ベース部材１０に形成されたカム用突起１４がカード固定部材２０の側壁２１に形成されたカム溝２２内を相対移動し、カード固定部材２０は前方にスライドしつつ下方に移動する。これにより側壁２１の前端部に設けられた係止突起２３は、ベース部材１０の壁部１１に下方に窪んで設けられた凹部１８の下方に位置し、信号用コンタクト３０の弾性力によりカード７０が押し上げられようとしても、係止突起２３が凹部１８内に嵌入して係止されることでこれが妨げられるようになるので、カード７０は端子７２と信号用コンタクト３０の接触部３３とが接触状態を保持するように固定される（図５（Ｆ）参照）。なお、このようなカード固定部材２０の位置が上記「カード固定位置」に相当する。
【００１６】
このようにしてカード７０がベース部材１０上に固定され、カード７０の端子７２が信号用コンタクト３０の接触部３３と接触した状態では、カードコネクタ１が取り付けられている電子機器等とカード７０との間の情報伝送が可能となるが、カード固定部材２０がベース部材１０の後方からスライド移動してきてカード固定位置に位置する際には、カード固定部材２０の側壁２１に形成された切片部２５が接地用コンタクト４０の接触部４３を押し上げて可撓部４２を上方に弾性変形させた状態にする。これにより板金製のカード固定部材２０は接地用コンタクト４０を介して基板６０上の接地端子６２に接続された接地状態となり、カード固定部材２０に電荷が帯電していた場合には、この電荷が接地用コンタクト４０及び接地端子６２を介して除去される。
【００１７】
カード７０のカードコネクタ１からの取り外しは、上述したカード７０の装着時とは逆の手順で行う。すなわち、カード固定部材２０によりカード７０がベース部材１０上に固定保持された状態（図５（Ｆ）参照）からカード固定部材２０を後方へ押圧するとカード固定部材２０は後方へスライド移動するが（図５（Ｅ）参照）、カード固定部材２０の側壁２１の後端部に形成された延出部２４がベース部材１０のカード固定部材押し下げ部１７の斜面１７ａに当接すると、この延出部２４が下方に押し下げられてカード固定部材２０全体が上下方向に揺動し、カード固定部材２０は前端部を上方に向けた斜めの姿勢となる（図５（Ｄ）参照）。このような状態ではカード７０をベース部材１０とカード固定部材２０との間から引き抜くことが可能となる（図５（Ｃ）参照）。なお、このようなカード固定部材２０の位置が上記「カード解放位置」に相当する。
【００１８】
カードコネクタ１へのカード７０の装着及び取り外しは上述のようにして行われるが、カード固定部材２０がカード固定位置からカード解放位置に移動する際には、カード固定部材２０の切片部２５は接地用コンタクト４０の接触部４３と離間するので（可撓部４２は弾性変形前の元の状態に復帰する）、カード固定部材２０は接地用コンタクト４０を介した接地状態から解放される。
【００１９】
このように本第１実施形態に係るカードコネクタ１では、カード７０がベース部材１０上に固定保持された状態において、板金製（金属製）のカード固定部材２０が接地用コンタクト４０及び基板６０の接地端子６２を介してグランドされるので、カード７０が装着された状態においてカード固定部材２０に帯電することがなく、カードコネクタ１を電気的に安定な状態にすることができる。このため、カードの装着時の摩擦等により生じた静電気がカード固定部材２０に帯電して静電気放電が発生したり、カード固定部材２０がアンテナとして働いてノイズ等の電気的障害が生じたりする弊害を防止することができる。また、このような帯電防止は非常に簡単な構成で実現することができ、コストも安価に抑えることができる。
【００２０】
また、このカードコネクタ１では、接地用コンタクト４０はベース部材１０に固定された固定部４１から延びた可撓部４２がカード固定位置に位置したカード固定部材２０により弾性的に変形させられた状態でカード固定部材２０と接触する構成になっているので、カード固定部材２０がベース部材１０に対して可動な構造であるにも拘わらず、確実に上記効果を得ることができる。
【００２１】
図８〜図１０は本発明の第２実施形態に係るカードコネクタ１０１を示している。このカードコネクタ１０１は基本的には上述の第１実施形態に係るカードコネクタ１と同一の構成であり、接地用コンタクトに関する構成のみが異なっている。以下、第１実施形態に係るカードコネクタ１と同一の構成部品についてはこれと同一の符号を付してその説明を省略しつつ、本第２実施形態において特徴的な部分の説明を行う。
【００２２】
図８及び図９に示すように、本第２実施形態に係るカードコネクタ１０１では、上述の第１実施形態に係るカードコネクタ１と異なり、接地用コンタクト１４０がベース部材１０の前方ではなく、後方に設けられている。この接地用コンタクト１４０は図１０にも示すように、ベース部材１０の左後方下面部に固定された固定部１４１と、この固定部１４１からベース部材１０の前方に延びて設けられた延出部１４２と、この延出部１４２の先端部にベース部材１０の外方に向かって突出するように延びて形成された突起部１４３と、固定部１４１からベース部材１０の内方に向かって延びて基板６０上の接地端子６２に接続されたリード部１４４とを有している。一方、ベース部材１０の左後方下面部には、カード固定部材２０がベース部材１０上を前後方向にスライド移動したときに、接地用コンタクト１４０の上記延出部１４２がベース部材１０に対して相対移動し得るようにこれを収容する溝部１１９が設けられており、接地用コンタクト１４０の上記突起部１４３は、この溝部１１９の内表面１１９ａと常時接触するようになっている。
【００２３】
このような構成を有するカードコネクタ１０１では、カード７０がベース部材１０上に保持された状態において、板金製（金属製）のカード固定部材２０が接地用コンタクト１４０及び基板６０の接地端子６２を介してグランドされるので、上述の第１実施形態に係るカードコネクタ１と同じ効果が得られる。また、本第２実施形態に係るカードコネクタ１０１では、カード７０の装着及び取り外し時においてカード固定部材２０がベース部材１０に対してスライド及び揺動移動している間においても、接地用コンタクト１４０の突起部１４３はベース部材１０の溝部１１９の内表面１１９ａに接触させた状態を維持するので、カード固定部材２０がベース部材１０に対して可動な構造であるにも拘わらず確実に上記効果が得られるという利点のみならず、カード７０が装着されていない状態においてもカード固定部材２０への帯電を防止することができるという利点を有する。
【００２４】
図１１は本発明の第３実施形態に係るカードコネクタ２０１を示している。この第３実施形態に係るカードコネクタ２０１は、基板６０に取り付けられた電気絶縁性材料からなる平板状のベース部材２１０と、このベース部材２１０の左右両側中央部に設けられた左右のカード固定部材２２０，２２０と、複数の信号用コンタクト２３０及び接地用コンタクト２４０とを有する。各カード固定部材２２０は各々図に示すように断面逆「Ｌ」字形状を有しており、ベース部材２１０の上面側をベース部材２１０に平行に挿入されたカード（第１実施形態において示したカード７０と同じとする）を、信号用コンタクト２３０の弾性力に抗してベース部材２１０の上表面に上方から押圧してベース部材２１０上に固定保持する働きをする。各信号用コンタクト２３０は、ベース部材２１０に保持されて基板６０上の信号端子６１と繋がっており、カード固定部材２２０，２２０によりベース部材２１０上に保持されたカード７０の端子７２と接触するようになっている。
【００２５】
接地用コンタクト２４０は前述の第１実施形態に係るカードコネクタ１及び第２実施形態に係るカードコネクタ１０１の場合と同様、カード７０がベース部材２１０上に保持された状態でカード固定部材２２０，２２０を基板６０の接地端子６２に電気的に接続するが、左右のカード固定部材２２０それぞれと一体に成形されて（若しくは溶接等により接合されて）電気的に繋がった状態となっている。
【００２６】
このような構成を有する第３実施形態に係るカードコネクタ２０１では、カード７０がベース部材２１０上に保持された状態において、板金製の（金属製の）カード固定部材２２０が接地用コンタクト２４０及び基板６０の接地端子６２を介してグランドされるので、上述の第１実施形態に係るカードコネクタ１及び第２実施形態に係るカードコネクタ１０１と同じ効果が得られる。また、この第３実施形態に係るカードコネクタ２０１では、カード固定部材２２０は常時ベース部材２１０に対して固定された状態になっているので、接地用コンタクト２４０をカード固定部材２２０と一体に構成することができ、上述の２つのコネクタ１，１０１に比して構成を簡単にすることができる。
【００２７】
これまで本発明の好ましい実施形態について説明してきたが、本発明の範囲は上述の実施形態において示したものに限定されない。例えば、上述の実施形態における信号用コンタクトの数は８つであったが、これは一例に過ぎず、カードの端子数に応じた任意の数にすることができる。また、接地用コンタクトの数も特に限定されるわけではなく、幾つであっても構わない。
【図面の簡単な説明】
【００２８】
【図１】（Ａ）は本発明の第１実施形態に係るカードコネクタの斜視図であり、（Ｂ）は（Ａ）における領域IBの拡大図である。
【図２】上記カードコネクタの平面図である。
【図３】上記カードコネクタの下面図である。
【図４】図２における矢視IV−IVから見た断面図である。
【図５】カードコネクタにカードを装着する手順を（Ａ）→（Ｆ）の順で示すカードコネクタの側面図である。
【図６】上記カードコネクタに備えられる接地用コンタクト単体の斜視図である。
【図７】（Ａ）はカード固定部材がカード解放位置に位置して切片部と接触部とが離間している状態を示す図、（Ｂ）はカード固定部材がカード固定位置に位置して切片部と接触部とが接触している状態を示す図である。
【図８】本発明の第２実施形態に係るカードコネクタの平面図である。
【図９】上記第２実施形態に係るカードコネクタの下面図である。
【図１０】上記第２実施形態に係るカードコネクタに備えられた接地用コンタクトの取り付け状態を示す下面斜視図（部分）である。
【図１１】本発明の第３実施形態に係るカードコネクタの斜視図である。
【符号の説明】
【００２９】
１      カードコネクタ
１０    ベース部材
２０    カード固定部材
３０    信号用コンタクト
４０    接地用コンタクト
６０    基板
６１    信号端子
６２    接地端子
７０    メモリーカード（カード）
７２    端子
【図１】
2005197116.tif 000003
【図２】
2005197116.tif 000004
【図３】
2005197116.tif 000005
【図４】
2005197116.tif 000006
【図５】
2005197116.tif 000007
【図６】
2005197116.tif 000008
【図７】
2005197116.tif 000009
【図８】
2005197116.tif 000010
【図９】
2005197116.tif 000011
【図１０】
2005197116.tif 000012
【図１１】
2005197116.tif 000013